(57)【要約】【課題】照明器具の安全性を向上することができる照明器具用アダプタを提供する。【解決手段】照明器具用アダプタ１００は、筐体１１０と、給電用の第一端子１２１及び第二端子１２２と、接地用の第三端子１２３とを備える。照明器具用アダプタ１００は、第一端子１２１及び第二端子１２２のそれぞれが引掛シーリングボディ２００に設けられた挿通孔に挿通されることにより引掛シーリングボディ２００に取り付けられる。照明器具用アダプタ１００が引掛シーリングボディ２００に取り付けられた状態において、第三端子１２３、及び、引掛シーリングボディ２００に設けられた第四端子２２０は、少なくとも一方が変形した状態で接触する。【選択図】図７
2020087642.tif 000002
【特許請求の範囲】
【請求項１】
引掛シーリングボディと照明器具の器具本体とを接続するための照明器具用アダプタであって、
前記引掛シーリングボディに対向する対向面を有する筐体と、
前記対向面に設けられた、給電用の第一端子及び第二端子と、
前記対向面の中央部に設けられた、接地用の第三端子とを備え、
前記照明器具用アダプタは、前記第一端子及び前記第二端子のそれぞれが前記引掛シーリングボディに設けられた挿通孔に挿通されることにより前記引掛シーリングボディに取り付けられ、
前記照明器具用アダプタが前記引掛シーリングボディに取り付けられた状態において、前記第三端子、及び、前記引掛シーリングボディに設けられた第四端子は、少なくとも一方が変形した状態で接触する
照明器具用アダプタ。
【請求項２】
前記照明器具用アダプタが前記引掛シーリングボディに取り付けられた状態において、前記第四端子は、弾性変形した状態で前記第三端子に接触する
請求項１に記載の照明器具用アダプタ。
【請求項３】
前記照明器具用アダプタが前記引掛シーリングボディに取り付けられた状態において、前記第四端子は、前記第三端子によって押し広げられることによって弾性変形し、弾性変形した状態で前記第三端子に接触する
請求項１に記載の照明器具用アダプタ。
【請求項４】
前記第三端子は、ベース部、及び、前記ベース部よりも径が大きい径大部を含み、
前記照明器具用アダプタが前記引掛シーリングボディに取り付けられた状態において、前記第四端子は、前記径大部によって押し広げられることによって弾性変形し、弾性変形した状態で前記径大部に接触する
請求項３に記載の照明器具用アダプタ。
【請求項５】
前記照明器具用アダプタが前記引掛シーリングボディに取り付けられた状態において、前記第三端子は、弾性変形した状態で前記第四端子に接触する
請求項１に記載の照明器具用アダプタ。
【請求項６】
前記第三端子は、前記引掛シーリングボディに向かって突出するように湾曲した板状である
請求項５に記載の照明器具用アダプタ。
【請求項７】
前記第三端子は、
前記第四端子に接触する接触部と、
前記接触部を前記引掛シーリングボディに向けて付勢する弾性部材とを含み、
前記照明器具用アダプタが前記引掛シーリングボディに取り付けられた状態において、前記第三端子は、前記弾性部材が弾性変形した状態で前記接触部が前記第四端子に接触する
請求項５に記載の照明器具用アダプタ。
【請求項８】
前記照明器具用アダプタが前記引掛シーリングボディに取り付けられていない状態において、前記第三端子は、前記第一端子及び前記第二端子よりも前記引掛シーリングボディ側に突出している
請求項１〜７のいずれか１項に記載の照明器具用アダプタ。
【請求項９】
さらに、前記対向面に設けられた、信号伝送用の第五端子を備える
請求項１〜８のいずれか１項に記載の照明器具用アダプタ。
【請求項１０】
前記第五端子は、前記照明器具を調光するための調光信号伝送用の端子である
請求項９に記載の照明器具用アダプタ。
【請求項１１】
請求項１〜１０のいずれか１項に記載の照明器具用アダプタと、
前記器具本体とを備える
照明器具。
【発明の詳細な説明】
【技術分野】
【０００１】
本発明は、天井に設けられた引掛シーリングボディに照明器具を接続するための照明器具用アダプタ、及び、これを備える照明器具に関する。
【背景技術】
【０００２】
従来、天井に設けられた引掛シーリングボディに照明器具を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、照明器具の安全性を向上することができる照明器具用アダプタ、及び、これを備える照明器具を提供する。
【課題を解決するための手段】
【０００５】
本発明の一態様に係る照明器具用アダプタは、引掛シーリングボディと照明器具の器具本体とを接続するための照明器具用アダプタであって、前記引掛シーリングボディに対向する対向面を有する筐体と、前記対向面に設けられた、給電用の第一端子及び第二端子と、前記対向面の中央部に設けられた、接地用の第三端子とを備え、前記照明器具用アダプタは、前記第一端子及び前記第二端子のそれぞれが前記引掛シーリングボディに設けられた挿通孔に挿通されることにより前記引掛シーリングボディに取り付けられ、前記照明器具用アダプタが前記引掛シーリングボディに取り付けられた状態において、前記第三端子、及び、前記引掛シーリングボディに設けられた第四端子は、少なくとも一方が変形した状態で接触する。
【０００６】
本発明の一態様に係る照明器具は、前記照明器具用アダプタと、前記器具本体とを備える。
【発明の効果】
【０００７】
本発明によれば、照明器具の安全性を向上することができる照明器具用アダプタ、及び、これを備える照明器具が実現される。
【図面の簡単な説明】
【０００８】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、実施の形態に係る照明器具用アダプタが取り付けられていない状態の引掛シーリングボディの内部構造を示す図である。
【図７】図７は、実施の形態に係る照明器具用アダプタが取り付けられている状態の引掛シーリングボディの内部構造を示す図である。
【図８】図８は、第三端子の形状の別の例を示す図である。
【図９】図９は、第三端子の形状のさらに別の例を示す図である。
【図１０】図１０は、変形例１に係る照明器具用アダプタを上方から見た外観斜視図である。
【図１１】図１１は、変形例１に係る照明器具用アダプタが取り付けられていない状態の、変形例１に係る引掛シーリングボディの内部構造を示す図である。
【図１２】図１２は、変形例１に係る照明器具用アダプタが取り付けられている状態の、変形例１に係る引掛シーリングボディの内部構造を示す図である。
【図１３】図１３は、変形例２に係る照明器具用アダプタを上方から見た外観斜視図である。
【図１４】図１４は、変形例２に係る照明器具用アダプタが取り付けられていない状態の、変形例２に係る引掛シーリングボディの内部構造を示す図である。
【図１５】図１５は、変形例２に係る照明器具用アダプタが取り付けられている状態の、変形例２に係る引掛シーリングボディの内部構造を示す図である。
【図１６】図１６は、変形例３に係る照明器具用アダプタを上方から見た外観斜視図である。
【発明を実施するための形態】
【０００９】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１１】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１２】
（実施の形態）
［照明器具の構造］
以下、実施の形態に係る照明器具について説明する。図１は、実施の形態に係る照明器具の分解斜視図である。図２は、図１の領域ＩＩの拡大図であって、実施の形態に係る照明器具用アダプタを下方から見た外観斜視図である。図３は、実施の形態に係る照明器具用アダプタを上方から見た外観斜視図である。また、図１〜図３には、天井などの構造物に設けられる引掛シーリングボディ２００も図示されている。
【００１３】
図１〜図３に示されるように、照明器具３００は、照明器具用アダプタ１００と、器具本体３１０と、光源ユニット３２０ａ及び３２０ｂと、コネクタ３３０と、蓋３４０と、グローブ３５０とを備える。器具本体３１０には、取り付け孔３６０が設けられている。
【００１４】
器具本体３１０には、光源ユニット３２０ａ及び光源ユニット３２０ｂと、光源ユニット３２０ａ及び光源ユニット３２０ｂに電気的に接続されたコネクタ３３０とが設けられている。また、器具本体３１０の中央部分には、円形の取り付け孔３６０が設けられている。
【００１５】
光源ユニット３２０ａ及び光源ユニット３２０ｂは、それぞれが内部に複数のＬＥＤを有する光源であり、例えば、グローブ３５０（下方）に向けて光を発する。
【００１６】
コネクタ３３０は、照明器具用アダプタ１００に接続されるコネクタである。コネクタ３３０が照明器具用アダプタ１００に接続されることにより、照明器具用アダプタ１００と、器具本体３１０とは電気的に接続される。
【００１７】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００１８】
照明器具用アダプタ１００は、引掛シーリングボディ２００と照明器具３００の器具本体３１０とを接続するためのアダプタである。照明器具用アダプタ１００は、筐体１１０を備え、筐体１１０の第一面１１１ａからは、断面Ｌ字状の、第一端子１２１及び第二端子１２２が突出している。第一端子１２１が引掛シーリングボディ２００の本体部２１０に設けられた挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００１９】
なお、照明器具用アダプタ１００が回動されて第一端子１２１が挿通孔２１１の終端に達し、かつ、第二端子１２２が挿通孔２１２の終端に達すると、引掛シーリングボディ２００側に向けて付勢された突起１８１の位置が、挿通孔２１２の位置に重なり、突起１８１は、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００２０】
また、筐体１１０の側壁からは第一係止部材１３１及び第二係止部材１３２が突出しており、第一係止部材１３１及び第二係止部材１３２は、筐体１１０に収容されたねじりばね１７０（図１〜図３で図示せず。後述の図４及び図５で図示。）により、筐体１１０の内側から外側に向かって付勢されている。
【００２１】
ユーザは、取り付け孔３６０に照明器具用アダプタ１００の筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、ねじりばね１７０の付勢力に抗して筐体１１０の内側に向けて押し込まれる。
【００２２】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、筐体１１０内のねじりばね１７０により与えられる付勢力によって筐体１１０の外側に突出する。そうすると、器具本体３１０の取り付け孔３６０の周縁部分が、第一係止部材１３１及び第二係止部材１３２に係止する。
【００２３】
その後、ユーザは、照明器具用アダプタ１００の筐体１１０の下面側に設けられたコネクタ挿入口１５０にコネクタ３３０を接続し、取り付け孔３６０を下面側から覆う蓋３４０と、グローブ３５０とを装着する。これにより、引掛シーリングボディ２００への照明器具３００の機械的及び電気的な取り付けが完了する。
【００２４】
また、照明器具３００の取り外し方法は、以下の通りである。ユーザは、まず、グローブ３５０と、蓋３４０とを外し、その後、コネクタ挿入口１５０からコネクタ３３０を取り外す。
【００２５】
次に、ユーザは、第一レバー１６１及び第二レバー１６２を、それぞれ筐体１１０の中央部分から外側に向けて引く。そうすると、第一係止部材１３１及び第二係止部材１３２は、筐体１１０の内側に移動する。これにより、ユーザは、器具本体３１０を照明器具用アダプタ１００から取り外すことができる。
【００２６】
また、ユーザは、ロック解除ボタンを押すことで、突起１８１を挿通孔２１２から引き抜き、ロックを解除することができる。ユーザは、ロック解除ボタン１４０を押したまま、照明器具用アダプタ１００を引掛シーリングボディ２００に対して取り外し方向に向けて回動させれば、照明器具用アダプタ１００を引掛シーリングボディ２００から取り外すことができる。
【００２７】
［照明器具用アダプタの構造］
次に、照明器具用アダプタ１００の構造について、図１〜図３に加えて図４及び図５を参照しながら説明する。図４は、照明器具用アダプタ１００を上方から見た分解斜視図である。図５は、照明器具用アダプタ１００を下方から見た分解斜視図である。なお、図４及び図５では、部材同士を固定するねじについては、図示が省略される。
【００２８】
照明器具用アダプタ１００は、筐体１１０と、第一端子１２１と、第二端子１２２と、第三端子１２３と、第一係止部材１３１と、第二係止部材１３２と、ロック解除ボタン１４０と、第一レバー１６１と、第二レバー１６２と、ねじりばね１７０と、ロック部１８０とを備える。
【００２９】
筐体１１０は、照明器具用アダプタ１００が備える各構成要素を収容する略扁平円筒状の部材である。筐体１１０は、引掛シーリングボディ２００に対向する第一面１１１ａ、及び、第一面１１１ａと反対側の第二面１１２ａを有する。筐体１１０は、具体的には、第一面１１１ａ側の本体部１１１と、第二面１１２ａ側のカバー１１２とを有する。
【００３０】
本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００の筐体１１０を構成する。
【００３１】
本体部１１１の引掛シーリングボディ２００に対向する部分には、端子挿通孔１１１ａ１、端子挿通孔１１１ａ２、及び、端子挿通孔１１１ａ３が設けられる。端子挿通孔１１１ａ１からは第一端子１２１の一方の端部１２１ａが突出し、端子挿通孔１１１ａ２からは第二端子１２２の一方の端部１２２ａが突出し、端子挿通孔１１１ａ３からは第三端子１２３の一方の端部１２３ａが突出する。なお、図４では、第三端子１２３の一方の端部１２３ａ、及び、第三端子１２３の他方の端部１２３ｂが分離して図示されているが、これらは実際には一体的に形成される。
【００３２】
また、本体部１１１の引掛シーリングボディ２００に対向する部分には、開口１１１ｂが設けられる。開口１１１ｂからはロック部１８０が有する突起１８１が突出する。
【００３３】
本体部１１１の側壁部には、第一開口１１１ｃ１及び第二開口１１１ｃ２が設けられる。第一開口１１１ｃ１からは、第一係止部材１３１が本体部１１１の外側に向けて突出している。第二開口１１１ｃ２からは、第二係止部材１３２が本体部１１１の外側に向けて突出している。
【００３４】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じて筐体１１０から外部に露出し、器具本体３１０のコネクタ３３０が抜き挿し自在に接続される。コネクタ挿入口１５０の平面視形状は、略Ｔ状であり、コネクタ３３０もこれに対応した形状となる。コネクタ挿入口１５０は、筐体１１０の第二面１１２ａ側に設けられた凹部の一例である。
【００３５】
カバー１１２は、本体部１１１の下面側を覆う金属製で板状の部材である。カバー１１２は、筐体１１０の第二面１１２ａを構成する。つまり、筐体１１０の第二面１１２ａ側の少なくとも一部は、金属によって形成される。カバー１１２の中央には、開口１１２ｂが設けられる。当該開口１１２ｂからは、コネクタ挿入口１５０並びに第一レバー１６１の第一被操作部１６１ａ及び第二レバー１６２の第二被操作部１６２ａが外部に露出する。
【００３６】
第一端子１２１、第二端子１２２、及び、第三端子１２３は、金属製の板状の部材である。第一端子１２１、第二端子１２２、及び、第三端子１２３は、本体部１１１の内側にねじによって固定される。第一端子１２１の一方の端部１２１ａは、筐体１１０に設けられた端子挿通孔１１１ａ１から突出する。第一端子１２１の他方の端部１２１ｂは、コネクタ挿入口１５０内に配置される。同様に、第二端子１２２の一方の端部１２２ａは、筐体１１０に設けられた端子挿通孔１１１ａ２から突出する。第二端子１２２の他方の端部１２２ｂは、コネクタ挿入口１５０内に配置される。第三端子１２３の一方の端部１２３ａは、筐体１１０に設けられた端子挿通孔１１１ａ３から突出し、第三端子１２３の他方の端部１２３ｂは、コネクタ挿入口１５０内に配置される。
【００３７】
第一端子１２１及び第二端子１２２は、照明器具３００が引掛シーリングボディ２００から電力供給を受けるための一対の給電用の端子である。第一端子１２１の一方の端部１２１ａが挿通孔２１１に挿通され、かつ、第二端子１２２の一方の端部１２２ａが挿通孔２１２に挿通されることにより、第一端子１２１及び第二端子１２２は、引掛シーリングボディ２００内の一対の給電端子に電気的に接続される。照明器具３００は、例えば、引掛シーリングボディ２００から交流電力の供給を受けるが、直流電力の供給を受けてもよい。
【００３８】
また、第一端子１２１の一方の端部１２１ａ、及び、第二端子１２２の一方の端部１２２ａのそれぞれは、Ｌ字状に折り曲げられている。第一端子１２１の一方の端部１２１ａが挿通孔２１１に挿通され、かつ、第二端子１２２の一方の端部１２２ａが挿通孔２１２に挿通された状態で照明器具用アダプタ１００が回動されると、照明器具用アダプタ１００が引掛シーリングボディ２００に引っ掛かる。つまり、第一端子１２１及び第二端子１２２は、照明器具用アダプタ１００の引掛シーリングボディ２００への機械的な接続にも用いられる。
【００３９】
第三端子１２３は、照明器具用アダプタ１００の安全性を高めるための接地用の端子である。第三端子１２３の一方の端部１２３ａが挿通孔２１３に挿通されることにより、第三端子１２３は、引掛シーリングボディ２００内の第四端子に電気的に接続される。第一端子１２１及び第二端子１２２と異なり、第三端子１２３の一方の端部１２３ａは、円柱状のベース部１２３ｃと、ベース部１２３ｃよりも径の大きい扁平円柱状の径大部１２３ｄとによって構成されている。
【００４０】
第一端子１２１の他方の端部１２１ｂ、第二端子１２２の他方の端部１２２ｂ、及び、第三端子１２３の他方の端部１２３ｂは、コネクタ３３０がコネクタ挿入口１５０に接続された状態において、コネクタ３３０内の金属端子と接続される。
【００４１】
なお、第三端子１２３の一方の端部１２３ａのうち第一面１１１ａから突出した部分の長さは、第一端子１２１の一方の端部１２１ａのうち第一面１１１ａから突出した部分の長さ、及び、第二端子１２２の一方の端部１２２ａのうち第一面１１１ａから突出した部分の長さよりも長い。ここでの長さは、より具体的には、Ｚ軸方向における長さである。つまり、照明器具用アダプタ１００が引掛シーリングボディ２００に取り付けられていない状態において、第三端子１２３は、第一端子１２１及び第二端子１２２よりも引掛シーリングボディ２００側に突出している。
【００４２】
これにより、照明器具用アダプタ１００を引掛シーリングボディ２００に取り付ける際に、第三端子１２３が第一端子１２１及び第二端子１２２よりも先に引掛シーリングボディ２００内の第四端子に電気的に接続されやすくなる。このため、照明器具用アダプタ１００を引掛シーリングボディ２００に取り付ける際の安全性を向上することができる。また、ユーザは、第三端子１２３を、照明器具用アダプタ１００及び引掛シーリングボディ２００の位置を合わせるために利用することができる。
【００４３】
同様に、第三端子１２３の他方の端部１２３ｂは、第一端子１２１の他方の端部１２１ｂ、及び、第二端子１２２の他方の端部１２２ｂよりも第二面１１２ａ側に突出していてもよい。
【００４４】
これにより、器具本体３１０及び照明器具用アダプタ１００を電気的に接続する際に、第三端子１２３が第一端子１２１及び第二端子１２２よりも先に器具本体３１０に電気的に接続されやすくなる。このため、器具本体３１０を照明器具用アダプタ１００に取り付ける際の安全性を向上することができる。
【００４５】
第一係止部材１３１及び第二係止部材１３２は、照明器具用アダプタ１００が器具本体３１０を保持するための樹脂製の部材である。言い換えれば、第一係止部材１３１及び第二係止部材１３２は、器具本体３１０を照明器具用アダプタ１００に係止させるための部材であり、器具本体３１０は、第一係止部材１３１及び第二係止部材１３２に係止する。
【００４６】
第一係止部材１３１は、ねじりばね１７０によって筐体１１０の内側から外部に向けて付勢されており、第一開口１１１ｃ１から筐体１１０の外側に向けて突出している。第二係止部材１３２は、ねじりばね１７０によって筐体１１０の内側から外部に向けて付勢されており、第二開口１１１ｃ２から筐体１１０の外側に向けて突出している。
【００４７】
ねじりばね１７０は、第一係止部材１３１及び第二係止部材１３２を筐体１１０の外側に向けて付勢する金属製の弾性部材である。ねじりばね１７０は、第一係止部材１３１を筐体１１０の側壁に設けられた第一開口１１１ｃ１から筐体１１０の外側に向けて突出させる。また、ねじりばね１７０は、第二係止部材１３２を筐体１１０の側壁に設けられた第二開口１１１ｃ２から筐体１１０の外側に向けて突出させる。
【００４８】
ねじりばね１７０は、具体的には、第一係止部材１３１に接続される第一アーム部１７１と、第二係止部材１３２に接続される第二アーム部１７２と、第一アーム部１７１及び第二アーム部１７２を接続する巻回部１７３とを有する。つまり、ねじりばね１７０は、巻回部１７３を介して接続される第一アーム部１７１及び第二アーム部１７２を含む。
【００４９】
巻回部１７３は、ねじりばね１７０の元の線状の金属部材が螺旋状に巻回された部分である。巻回部１７３には、筐体１１０の内部に設けられた突起１１３が挿通される。突起１１３は、円柱状であり、言い換えればボスである。突起１１３にはカバー１１２を本体部１１１に固定するためのねじが挿入されるねじ穴が設けられている。
【００５０】
第一係止部材１３１は、第一レバー１６１が操作されることにより、Ｙ軸方向に沿って移動する。第二係止部材１３２は、第二レバー１６２が操作されることにより、Ｙ軸方向に沿って移動する。
【００５１】
第一レバー１６１及び第二レバー１６２は、器具本体３１０を照明器具用アダプタ１００から取り外すために操作される樹脂製の部材である。
【００５２】
第一レバー１６１は、第一係止部材１３１と連結され、第一係止部材１３１をＹ軸方向に沿って移動させるための部材である。第一レバー１６１は、第一被操作部１６１ａ及び第一連結部１６１ｂを有する。
【００５３】
第一被操作部１６１ａは、第一係止部材１３１を筐体１１０の内側に向けて動かすためにユーザによって操作される。第一被操作部１６１ａは、カバー１１２に設けられた開口１１２ｂから筐体１１０の外側に突出する。開口１１２ｂは、筐体１１０の第二面１１２ａ側に設けられた開口の一例である。
【００５４】
第一連結部１６１ｂは、第一被操作部１６１ａ及び第一係止部材１３１を連結する。第一連結部１６１ｂは、第一係止部材１３１の凹部１３１ａに配置され、これにより第一レバー１６１と第一係止部材１３１とは係合する。つまり、第一被操作部１６１ａ及び第一係止部材１３１が連結される。第一被操作部１６１ａが筐体１１０の中央部分から外側に向けて引っ張られることで第一係止部材１３１は、ねじりばね１７０の弾性力に抗して筐体１１０の内側に移動する。
【００５５】
第二レバー１６２は、第二係止部材１３２をＹ軸方向に沿って移動させるための部材である。第二レバー１６２は、第二被操作部１６２ａ及び第二連結部１６２ｂを有する。
【００５６】
第二被操作部１６２ａは、第二係止部材１３２を筐体１１０の内側に向けて動かすためにユーザによって操作される。第二被操作部１６２ａは、カバー１１２に設けられた開口１１２ｂから筐体１１０の外側に突出する。開口１１２ｂは、筐体１１０の第二面１１２ａ側に設けられた開口の一例である。
【００５７】
第二連結部１６２ｂは、第二被操作部１６２ａ及び第二係止部材１３２を連結する。第二連結部１６２ｂは、第二係止部材１３２の凹部１３２ａに配置され、これにより第二レバー１６２と第二係止部材１３２とは係合する。つまり、第二被操作部１６２ａ及び第二係止部材１３２が連結される。第二被操作部１６２ａが筐体１１０の中央部分から筐体１１０の外側に向けて引っ張られることで第二係止部材１３２は、ねじりばね１７０の弾性力に抗して筐体１１０の内側に移動する。
【００５８】
このように、ユーザは、第一被操作部１６１ａ及び第二被操作部１６２ａのそれぞれを筐体１１０の中央部分から外側に向けて引くことで、第一係止部材１３１及び第二係止部材１３２を筐体１１０内に移動させ、器具本体３１０を照明器具用アダプタ１００から取り外すことができる。
【００５９】
ロック部１８０は、照明器具用アダプタ１００が引掛シーリングボディ２００に正常に取り付けられた状態を維持するために、照明器具用アダプタ１００の引掛シーリングボディ２００に対する移動を規制するための部材である。ロック部１８０は、突起１８１と、コイルばね（図示せず）が挿入されるバネ用穴１８２と、溝部１８３とを備える。
【００６０】
バネ用穴１８２に挿入されたコイルばねは、一端がバネ用穴１８２内の底部に当接し、他端がカバー１１２の内側の面に当接する。これにより、ロック部１８０は、第二面１１２ａ側から第一面１１１ａ側に向けて付勢される。照明器具用アダプタ１００が回動されて第一端子１２１が挿通孔２１１の終端に達し、かつ、第二端子１２２が挿通孔２１２の終端に達すると、突起１８１の位置が、挿通孔２１２の位置に重なり、突起１８１は、コイルばねの付勢力（弾性力）により、筐体１１０の第一面１１１ａから突出して挿通孔２１２に挿通される。この状態では、照明器具用アダプタ１００の引掛シーリングボディ２００に対する回動が規制される。つまり、照明器具用アダプタ１００の引掛シーリングボディ２００に対する回動がロックされる。
【００６１】
このように、突起１８１は、筐体１１０の第一面１１１ａ側に設けられた開口１１１ｂから突出し、引掛シーリングボディ２００に設けられた挿通孔２１２に挿通されることにより、引掛シーリングボディ２００に対する照明器具用アダプタ１００の移動を規制する。
【００６２】
ロック解除ボタン１４０は、突起１８１を挿通孔２１２から引き抜くために押下される、筐体１１０の側壁に設けられたボタンである。ロック解除ボタン１４０は、一部が筐体１１０の側壁に設けられた切り欠き部を通じて筐体１１０の外側に位置する樹脂製の部材である。
【００６３】
ロック解除ボタン１４０の凸部１４１は、ロック部１８０の溝部１８３内に位置する。溝部１８３は、凸部１４１の移動方向であるＸ軸方向において傾斜した溝を形成しており、ユーザがロック解除ボタン１４０を筐体１１０の内側に押し込むと、ロック解除ボタン１４０の凸部１４１が溝部１８３の内壁を押すことによって、ロック部１８０が第二面１１２ａ側に移動される。この結果、コイルばねの付勢力（弾性力）に抗して突起１８１が挿通孔２１２から引き抜かれる。これにより、照明器具用アダプタ１００の引掛シーリングボディ２００に対する回動の規制が解除される。ユーザは、ロック解除ボタン１４０を押しながら照明器具用アダプタ１００を引掛シーリングボディ２００に対して回動させることにより、引掛シーリングボディ２００から照明器具用アダプタ１００を取り外すことができる。
【００６４】
［第三端子及び第四端子の構造］
照明器具用アダプタ１００においては、第三端子１２３が筐体１１０の第一面１１１ａ（つまり、引掛シーリングボディ２００と対向する対向面）の中央部に設けられている。ここでの中央部とは、厳密な意味ではなく、実質的に中央であることを意味する。中央部は、例えば、照明器具用アダプタ１００を引掛シーリングボディ２００に対して回動させる際の回動軸の位置（言い換えれば、回動の中心位置）、及び、回動軸の周辺の部分を意味する。なお、第一面１１１ａは、平面であってもよいし、凹凸を有する面であってもよいし、湾曲面であってもよい。
【００６５】
上述のように、第三端子１２３は、引掛シーリングボディ２００の本体部２１０内の第四端子に電気的に接続される。第三端子１２３及び第四端子２２０がどのように接続されるかについて図６及び図７を参照しながら説明する。図６は、照明器具用アダプタ１００が取り付けられていない状態の引掛シーリングボディ２００の内部構造を示す図であり、図７は、照明器具用アダプタ１００が取り付けられている状態の引掛シーリングボディ２００の内部構造を示す図である。
【００６６】
図６及び図７に示される第四端子２２０は、例えば、板ばねの折り曲げ加工によって形成される。つまり、第四端子２２０は、弾性を有している。第四端子２２０は、第三端子１２３を挟持するための２つの端子片を含み、照明器具用アダプタ１００が取り付けられていない状態においては、２つの端子片の間隔が狭い。第四端子２２０は、引掛シーリングボディ２００の本体部２１０の内部で配線などにより接地されている。
【００６７】
引掛シーリングボディ２００に照明器具用アダプタ１００が取り付けられると、第四端子２２０の２つの端子片は、第三端子１２３によって押し広げられることによって弾性変形する。より具体的には、第四端子２２０は、径大部１２３ｄによって押し広げられることによって弾性変形する。なお、変形（弾性変形）とは、照明器具用アダプタ１００が取り付けられていない状態の第四端子２２０の形状を基準形状として変形することを意味する。
【００６８】
ここで、第四端子２２０は弾性を有しているため、２つの端子片は、照明器具用アダプタ１００が取り付けられていない状態に戻ろうとする。この結果、第三端子１２３が２つの端子片によって挟持される。つまり、第四端子２２０の２つの端子片は、弾性変形した状態で第三端子１２３に接触する。より具体的には、第四端子２２０の２つの端子片は、弾性変形した状態で径大部１２３ｄに接触する。なお、２つの端子片は、径大部１２３ｄの上側のエッジｅ１と接触するように設計されてもよいし、径大部１２３ｄの下側のエッジｅ２と接触するように設計されてもよい。
【００６９】
ところで、上述のように、照明器具用アダプタ１００は、第一端子１２１が挿通孔２１１に挿通され、かつ、第二端子１２２が挿通孔２１２に挿通された状態で照明器具用アダプタ１００が引掛シーリングボディ２００に対して取り付け方向に回動されることで、引掛シーリングボディ２００に取り付けられる。ここで、弾性を有する第四端子２２０が径大部１２３ｄによって押し広げられる構成によれば、照明器具用アダプタ１００が取り付け方向に回動される前に、径大部１２３ｄが第四端子２２０に引っ掛かる。言い換えれば、第一端子１２１及び第二端子１２２が引掛シーリングボディに引っ掛かる前に第四端子２２０によって照明器具用アダプタ１００を暫定的に保持することができる。これにより、ユーザは、照明器具用アダプタ１００を引掛シーリングボディ２００に容易に取り付けることができる。
【００７０】
なお、第三端子１２３の形状は、特に限定されず、例えば、図８に示される第三端子１２３ｅのように円錐状の径大部１２３ｆを有していてもよいし、図９に示されるように第三端子１２３ｇのように径大部１２３ｈがベース部１２３ｉの途中に位置してもよい。図８及び図９は、第三端子１２３の形状の別の例を示す図である。また、図示されないが、第三端子１２３は、径大部１２３ｄが存在しない形状であってもよい。照明器具用アダプタ１００において、ベース部１２３ｃのみが端子挿通孔１１１ａ３から突出していてもよい。
【００７１】
［変形例１］
上記実施の形態では、照明器具用アダプタ１００が引掛シーリングボディ２００に取り付けられた状態において、第四端子２２０が変形した状態で第三端子１２３に接触した。しかしながら、第三端子１２３が変形した状態で第四端子２２０に接触してもよい。つまり、第三端子１２３、及び、第四端子２２０は、少なくとも一方が変形した状態で互いに接触すればよい。図１０は、このような変形例１に係る照明器具用アダプタの上方から見た外観斜視図である。図１１は、変形例１に係る照明器具用アダプタが取り付けられていない状態の、変形例１に係る引掛シーリングボディの内部構造を示す図である。図１２は、変形例１に係る照明器具用アダプタが取り付けられている状態の、変形例１に係る引掛シーリングボディの内部構造を示す図である。
【００７２】
なお、以下の変形例１では、照明器具用アダプタ１１００が備える第三端子１１２３の第三端子１２３との相違点を中心に説明し、第三端子１１２３のコネクタ挿入口１５０側の構造などは、第三端子１２３と同様であるため説明が省略される。引掛シーリングボディ１２００の構造についても引掛シーリングボディ２００との相違点を中心に説明が行われる。
【００７３】
図１０及び図１１に示されるように、照明器具用アダプタ１１００が備える第三端子１１２３は、板ばねの湾曲によって形成される。第三端子１１２３は、具体的には、引掛シーリングボディ２００に向かって突出するようにアーチ状に湾曲した板状であり、弾性を有する。照明器具用アダプタ１１００が引掛シーリングボディ１２００に取り付けられていない状態において、第三端子１１２３の第一面１１１ａを基準とした高さ（つまり、第三端子１１２３の筐体１１０の外側に位置する部分の高さ）は、第一端子１２１及び第二端子１２２よりも低いが、高くてもよい。
【００７４】
一方、図１１及び図１２に示されるように、引掛シーリングボディ１２００は、本体部２１０の照明器具用アダプタ１１００に対向する面の中央部に、第四端子１２２０を備える。第四端子１２２０は、一部が引掛シーリングボディ１２００の本体から外部に露出しており、他の一部が引掛シーリングボディ１２００の内部で配線などにより接地されている。第四端子１２２０の平面視形状は、例えば、円形であるが、矩形などその他の形状であってもよい。
【００７５】
第三端子１１２３は、上方から押圧されることにより弾性変形する。したがって、図１２に示されるように、照明器具用アダプタ１１００が引掛シーリングボディ１２００に取り付けられた状態において、第三端子１１２３は、第四端子１２２０によって押圧され、弾性変形した状態で第四端子１２２０に接触する。
【００７６】
このように、照明器具用アダプタ１１００の第三端子１１２３は、第三端子１１２３が変形した状態で第四端子１２２０に接触するように構成されてもよい。
【００７７】
［変形例２］
また、照明器具用アダプタ１００において、第三端子１２３は複数種類の部材によって構成されてもよい。図１３は、このような変形例２に係る照明器具用アダプタの上方から見た外観斜視図である。図１４は、変形例２に係る照明器具用アダプタが取り付けられていない状態の、変形例２に係る引掛シーリングボディの内部構造を示す図である。図１５は、変形例２に係る照明器具用アダプタが取り付けられている状態の、変形例２に係る引掛シーリングボディの内部構造を示す図である。
【００７８】
図１３〜図１５に示されるように、照明器具用アダプタ２１００が備える第三端子２１２３は、第四端子２２２０に接触する接触部２１２３ａと、接触部２１２３ａを引掛シーリングボディ２２００に向けて付勢する弾性部材２１２３ｂとを含む。
【００７９】
接触部２１２３ａは、例えば、砲弾形の部材であり、金属によって形成される。接触部２１２３ａの上端部は、例えば、球面状であるが、平面状などその他の形状であってもよい。照明器具用アダプタ２１００が引掛シーリングボディ２２００に取り付けられていない状態において、接触部２１２３ａは、第一面１１１ａよりも引掛シーリングボディ２２００側に突出している。なお、照明器具用アダプタ２１００が引掛シーリングボディ２２００に取り付けられていない状態において、接触部２１２３ａの第一面１１１ａを基準とした高さは、第一端子１２１及び第二端子１２２よりも低いが、高くてもよい。
【００８０】
弾性部材２１２３ｂは、具体的には、コイルばねであるがその他のばねなどであってもよい。弾性部材２１２３ｂの上端部は、接触部２１２３ａに接続され、弾性部材２１２３ｂの下端部は、コネクタ挿入口１５０に位置する第三端子２１２３の端部（図示せず）に接続される。弾性部材２１２３ｂは、筐体１１０の内部に位置する。
【００８１】
一方、図１４及び図１５に示されるように、引掛シーリングボディ２２００は、本体部２１０の照明器具用アダプタ２１００に対向する面の中央部に、第四端子２２２０を備える。第四端子２２２０は、一部が引掛シーリングボディ２２００の本体から外部に露出しており、他の一部が引掛シーリングボディ２２００の内部で配線などにより接地されている。第四端子２２２０の平面視形状は、例えば、円形であるが、矩形などその他の形状であってもよい。
【００８２】
なお、第四端子２２２０は、接触部２１２３ａの形状に対応する形状の凹部を有していてもよい。このような凹部は、第三端子２１２３及び第四端子２２２０の位置合わせに利用できる。
【００８３】
第三端子２１２３は、上方から押圧されることにより弾性部材２１２３ｂが弾性変形する。弾性部材２１２３ｂは、具体的には、縮む。したがって、図１５に示されるように、照明器具用アダプタ２１００が引掛シーリングボディ２２００に取り付けられた状態において、第三端子２１２３は、第四端子２２２０によって押圧され、弾性部材２１２３ｂが弾性変形した状態で接触部２１２３ａが第四端子１２２０に接触する。
【００８４】
このように、照明器具用アダプタ２１００の第三端子２１２３は、複数種類の部材によって構成されてもよい。
【００８５】
［変形例３］
また、照明器具用アダプタ１００の第一面１１１ａには、第一端子１２１、第二端子１２２、及び、第三端子１２３の３つの端子が設けられたが、これ以外の端子がさらに設けられてもよい。図１６は、このような変形例３に係る照明器具用アダプタの上方から見た外観斜視図である。
【００８６】
図１６に示されるように、照明器具用アダプタ３１００は、筐体１１０の第一面１１１ａに設けられた第五端子１２４及び第五端子１２５を備える。
【００８７】
第五端子１２４及び第五端子１２５は、引掛シーリングボディ３２００から器具本体３１０への信号伝送用の端子である。第五端子１２４及び第五端子１２５は、例えば、照明器具３００を調光するための調光信号伝送用の一対の端子である。第五端子１２４及び第五端子１２５は、照明器具３００を調色するための調色信号伝送用の一対の端子であってもよいし、調光及び調色を含む発光制御に用いられる制御信号伝送用の一対の端子であってもよい。また、第五端子１２４及び第五端子１２５は、器具本体３１０から引掛シーリングボディ３２００への信号伝送に用いられてもよい。
【００８８】
なお、照明器具用アダプタ３１００は、信号を差動伝送できるように、一対の第五端子１２４及び第五端子１２５を備えているが、少なくとも１つの第五端子を備えればよい。第三端子１２３の電位を基準電位とすることなどにより、１つの第五端子で信号を伝送することが可能となる。
【００８９】
第五端子１２４は、挿通孔２１４ａに挿通されることにより、引掛シーリングボディ２００内の信号伝送用の端子に電気的に接続される。第五端子１２５は、挿通孔２１４ｂに挿通されることにより、引掛シーリングボディ２００内の信号伝送用の端子に電気的に接続される。
【００９０】
第五端子１２４の上端部は、折り曲げられておらず、照明器具用アダプタ１００の機械的な接続に用いられない。しかしながら、第五端子１２４の上端部は折り曲げられ、照明器具用アダプタ１００の機械的な接続に用いられてもよい。
【００９１】
このような照明器具用アダプタ３１００は、電力だけでなく信号を器具本体３１０に中継することができる。なお、変形例３では、接地用の端子として第三端子１２３が採用されているが、第三端子１２３に代えて、第三端子１１２３または第三端子２１２３が採用されてもよい。
【００９２】
［効果等］
以上説明したように、照明器具用アダプタ１００は、引掛シーリングボディ２００と照明器具３００の器具本体３１０とを接続するための照明器具用アダプタである。照明器具用アダプタ１００は、引掛シーリングボディ２００に対向する第一面１１１ａを有する筐体１１０と、第一面１１１ａに設けられた、給電用の第一端子１２１及び第二端子１２２と、第一面１１１ａの中央部に設けられた、接地用の第三端子１２３とを備える。照明器具用アダプタ１００は、第一端子１２１及び第二端子１２２のそれぞれが引掛シーリングボディ２００に設けられた挿通孔に挿通されることにより引掛シーリングボディ２００に取り付けられる。照明器具用アダプタ１００が引掛シーリングボディ２００に取り付けられた状態において、第三端子１２３、及び、引掛シーリングボディ２００に設けられた第四端子２２０は、少なくとも一方が変形した状態で接触する。第一面１１１ａは、対向面の一例である。
【００９３】
これにより、照明器具用アダプタ１００に接地用の第三端子１２３が設けられているため、照明器具３００の安全性を向上することができる。
【００９４】
また、例えば、照明器具用アダプタ１００が引掛シーリングボディ２００に取り付けられた状態において、第四端子２２０は、弾性変形した状態で第三端子１２３に接触する。
【００９５】
このように第四端子２２０を弾性変形させる構成によれば、照明器具用アダプタ１００の構造が簡素化される。
【００９６】
また、例えば、照明器具用アダプタ１００が引掛シーリングボディ２００に取り付けられた状態において、第四端子２２０は、第三端子１２３によって押し広げられることによって弾性変形し、弾性変形した状態で第三端子１２３に接触する。
【００９７】
このような第四端子２２０は、弾性により第三端子１２３を暫定的に保持することができる。第四端子２２０によって照明器具用アダプタ１００が暫定的に保持されれば、ユーザが照明器具用アダプタ１００を引掛シーリングボディ２００に取り付けることが容易になる。
【００９８】
また、例えば、第三端子１２３は、ベース部１２３ｃ、及び、ベース部１２３ｃよりも径が大きい径大部１２３ｄを含む。照明器具用アダプタ１００が引掛シーリングボディ２００に取り付けられた状態において、第四端子２２０は、径大部１２３ｄによって押し広げられることによって弾性変形し、弾性変形した状態で径大部１２３ｄに接触する。
【００９９】
このような第四端子２２０は、第三端子１２３の径大部１２３ｄを暫定的に保持することができる。第四端子２２０によって照明器具用アダプタ１００が暫定的に保持されれば、ユーザが照明器具用アダプタ１００を引掛シーリングボディ２００に取り付けることが容易になる。
【０１００】
また、変形例１では、照明器具用アダプタ１１００が引掛シーリングボディ１２００に取り付けられた状態において、第三端子１１２３は、弾性変形した状態で第四端子１２２０に接触する。変形例２においても同様である。
【０１０１】
このように照明器具用アダプタ１１００が備える第三端子１１２３が弾性変形する構成によれば、引掛シーリングボディ１２００の構造を簡素化することができる。例えば、引掛シーリングボディ１２００の小型化（薄型化）が容易となる。
【０１０２】
また、変形例１では、第三端子１１２３は、引掛シーリングボディ１２００に向かって突出するように湾曲した板状である。
【０１０３】
このような比較的簡単な構造の第三端子１１２３によれば、照明器具用アダプタ１１００の構造を簡素化することができる。
【０１０４】
また、変形例２では、第三端子２１２３は、第四端子２２２０に接触する接触部２１２３ａと、接触部２１２３ａを引掛シーリングボディ２２００に向けて付勢する弾性部材２１２３ｂとを含む。照明器具用アダプタ２１００が引掛シーリングボディ２２００に取り付けられた状態において、第三端子２１２３は、弾性部材２１２３ｂが弾性変形した状態で接触部２１２３ａが第四端子２２２０に接触する。
【０１０５】
このような第三端子２１２３は、第四端子２２２０により確実に接触することができる。
【０１０６】
また、照明器具用アダプタ１００が引掛シーリングボディ２００に取り付けられていない状態において、第三端子１２３は、第一端子１２１及び第二端子１２２よりも引掛シーリングボディ２００側に突出している。
【０１０７】
これにより、照明器具用アダプタ１００を引掛シーリングボディ２００に取り付ける際に、第三端子１２３が第一端子１２１及び第二端子１２２よりも先に第四端子に電気的に接続されやすくなる。このため、照明器具用アダプタ１００を引掛シーリングボディ２００に取り付ける際の安全性を向上することができる。また、ユーザは、第三端子１２３を、照明器具用アダプタ１００及び引掛シーリングボディ２００の位置を合わせるために利用することができる。
【０１０８】
また、変形例３では、照明器具用アダプタ３１００は、さらに、第一面１１１ａに設けられた、信号伝送用の第五端子１２４を備える。
【０１０９】
このような照明器具用アダプタ３１００は、信号を引掛シーリングボディ３２００から器具本体３１０へ中継することができる。
【０１１０】
また、例えば、第五端子１２４は、照明器具３００を調光するための調光信号伝送用の端子である。
【０１１１】
このような照明器具用アダプタ３１００は、調光信号を引掛シーリングボディ３２００から器具本体３１０へ中継することができる。
【０１１２】
また、照明器具３００は、照明器具用アダプタ１００と、器具本体３１０とを備える。
【０１１３】
このような照明器具３００は、照明器具用アダプタ１００に接地用の第三端子１２３が設けられているため、安全性が向上される。
【０１１４】
（その他の実施の形態）
以上、実施の形態について説明したが、本発明は、上記実施の形態に限定されるものではない。
【０１１５】
例えば、上記実施の形態の照明器具用アダプタにおいては、第一レバーの第一被操作部及び第二レバーの第二被操作部の間隔が押し広げられることで第一係止部材及び第二係止部材が筐体内に押し込まれる構造を有する。しかしながら、照明器具用アダプタは、第一レバーの第一被操作部及び第二レバーの第二被操作部の間隔を押し狭めることで第一係止部材及び第二係止部材が筐体内に押し込まれる構造を有してもよい。
【０１１６】
また、上記実施の形態で説明された照明器具は一例であり、照明器具の具体的態様については特に限定されない。照明器具は、照明器具用アダプタを用いて引掛シーリングボディに接続されるのであれば、どのような態様であってもよい。
【０１１７】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【０１１８】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【０１１９】
例えば、本発明は、上記実施の形態に係る引掛シーリングボディとして実現されてもよい。また、上記実施の形態に係る照明器具用アダプタ、及び、上記実施の形態に係る引掛シーリングボディを備える照明器具用アダプタセットとして実現されてもよい。
【符号の説明】
【０１２０】
１００、１１００、２１００、３１００  照明器具用アダプタ
１１０  筐体
１１１ａ  第一面（対向面）
１２１  第一端子
１２２  第二端子
１２３、１２３ｅ、１２３ｇ、１１２３、２１２３  第三端子
１２３ｃ、１２３ｉ  ベース部
１２３ｄ、１２３ｆ、１２３ｈ  径大部
１２４、１２５  第五端子
２００、１２００、２２００、３２００  引掛シーリングボディ
２１１、２１２、２１３、２１４ａ、２１４ｂ  挿通孔
２２０、１２２０、２２２０  第四端子
３００  照明器具
３１０  器具本体
２１２３ａ  接触部
２１２３ｂ  弾性部材
【図１】
2020087642.tif 000003
【図２】
2020087642.tif 000004
【図３】
2020087642.tif 000005
【図４】
2020087642.tif 000006
【図５】
2020087642.tif 000007
【図６】
2020087642.tif 000008
【図７】
2020087642.tif 000009
【図８】
2020087642.tif 000010
【図９】
2020087642.tif 000011
【図１０】
2020087642.tif 000012
【図１１】
2020087642.tif 000013
【図１２】
2020087642.tif 000014
【図１３】
2020087642.tif 000015
【図１４】
2020087642.tif 000016
【図１５】
2020087642.tif 000017
【図１６】
2020087642.tif 000018